(57)【要約】【課題】特に信頼性が高く操作しやすいプラグコネクタ機器を達成すること。【解決手段】本発明に係るプラグコネクタ機器（１）は、機械的かつ電気的接続を確立するために相互にプラグ接続可能な第１のプラグコネクタ（２）及び第２のプラグコネクタ（３）を有する。付加的な接続器具（５）は、前記プラグコネクタ（２、３）の前記接続を保持するために前記第１のプラグコネクタ（２）のハウジング（２．１）に設置される。前記接続器具（５）は、少なくとも１個の第１のゲートパーツ（６）を有し、前記第２のプラグコネクタ（３）のハウジング（３．１）は、少なくとも１個の第２のゲートパーツ（７）を有し、前記第１のゲートパーツ（６）及び前記第２のゲートパーツ（７）は、ゲートガイドを共同して構成する。前記ゲートガイドの前記２個のゲートパーツ（６、７）は、前記プラグコネクタ（２、３）が予備ラッチ位置で相互にプラグ接続するとき前記２個のゲートパーツ（６、７）が第１の相対位置関係になるように、設置及び構成される。前記接続器具（５）は、少なくとも１個のガイド（９）を用いて、前記第１のプラグコネクタ（２）の前記ハウジング（２．１）に接続される。前記プラグコネクタ（２、３）は、前記２個のゲートパーツ（６、７）が第２の相対位置関係にあるとき前記プラグコネクタ（２、３）が端子位置で相互にプラグ接続するように、前記ガイド（９）及び前記ゲートガイドを用いて機械的に連結される。前記接続器具（５）は、前記２個のゲートパーツ（６、７）を前記第２の位置に移動させるように、前記第１のゲートパーツ（６）を用いてアンロック位置からロック位置まで前記第１のプラグコネクタ（２）の前記ハウジング（２．１）に対して相対的に、前記ガイド（９）に沿って移動可能である。【選択図】図１
2019532479.tif 000002
【特許請求の範囲】
【請求項１】
機械的かつ電気的接続を確立するために相互にプラグ接続可能な第１のプラグコネクタ（２）及び第２のプラグコネクタ（３）と、
前記プラグコネクタ（２、３）の前記接続を保持するために前記第１のプラグコネクタ（２）のハウジング（２．１）に設置された付加的な接続器具（５）と
を具備するプラグコネクタ機器（１）であって、
前記接続器具（５）は、少なくとも１個の第１のゲートパーツ（６）を有し、前記第２のプラグコネクタ（３）のハウジング（３．１）は、少なくとも１個の第２のゲートパーツ（７）を有し、前記第１のゲートパーツ（６）及び前記第２のゲートパーツ（７）は、ゲートガイドを共同して構成し、
前記ゲートガイドの前記２個のゲートパーツ（６、７）は、前記プラグコネクタ（２、３）が予備ラッチ位置で相互にプラグ接続するとき前記２個のゲートパーツ（６、７）が第１の相対位置関係になるように、設置及び構成され、
前記接続器具（５）は、少なくとも１個のガイド（９）を用いて、前記第１のプラグコネクタ（２）の前記ハウジング（２．１）に接続され、
前記プラグコネクタ（２、３）は、前記２個のゲートパーツ（６、７）が第２の相対位置関係にあるとき前記プラグコネクタ（２、３）が端子位置で相互にプラグ接続するように、前記ガイド（９）及び前記ゲートガイドを用いて機械的に連結され、
前記接続器具（５）は、前記２個のゲートパーツ（６、７）を前記第２の位置に移動させるように、前記第１のゲートパーツ（６）を用いてアンロック位置からロック位置まで前記第１のプラグコネクタ（２）の前記ハウジング（２．１）に対して相対的に、前記ガイド（９）に沿って移動可能であり、
前記接続器具（５）は、少なくとも１個の固定部材（１２）を有し、前記第１のプラグコネクタ（２）の前記ハウジング（２．１）は、少なくとも１個の移動止め面（１３）を有し、
前記移動止め面（１３）は、前記プラグコネクタ（２、３）の非プラグ接続状態において、前記接続器具（５）が前記アンロック位置から前記ロック位置に向かう前記方向に移動するのを規制し、
前記第２のプラグコネクタ（３）は、少なくとも１個のアンロック部材（１４）を有し、前記アンロック部材（１４）は、前記プラグコネクタ（２、３）を相互にプラグ接続するとき、好ましくは前記予備ラッチ位置に到達するとき、前記固定部材（１２）及び前記ハウジング（２．１）の前記移動止め面（１３）が前記アンロック位置から前記ロック位置への前記接続器具（５）の前記移動路をブロックしないように、前記少なくとも１個のアンロック部材（１４）が前記少なくとも１個の固定部材（１２）を移動または動作させるように設置及び構成され、
前記第２のゲートパーツ（７）と前記アンロック部材（１４）とはそれぞれ独立した要素である
プラグコネクタ機器（１）。
【請求項２】
請求項１に記載のプラグコネクタ機器（１）であって、
前記接続器具（５）は、前記第１のプラグコネクタ（２）に離脱不可能に接続する
ことを特徴とするプラグコネクタ機器（１）。
【請求項３】
請求項１又は２に記載のプラグコネクタ機器（１）であって、
前記接続器具（５）は、少なくとも１個の移動止め部材（１０）を有し、前記第１のプラグコネクタ（２）の前記ハウジング（２．１）は、少なくとも１個の移動止め（１１）を有し、前記移動止め部材（１０）及び前記移動止め（１１）は、前記接続器具（５）が前記アンロック位置から前記ロック位置への方向及び／又は逆方向に前記ガイド（９）に沿って移動する限界を定める
ことを特徴とするプラグコネクタ機器（１）。
【請求項４】
請求項１に記載のプラグコネクタ機器（１）であって、
前記固定部材は、スナップフィットフック（１２）として構成され、前記プラグコネクタ（２、３）の前記非プラグ接続状態において前記スナップフィットフック（１２）の少なくとも一部が前記第１のプラグコネクタ（２）の前記ハウジング（２．１）の前記移動止め面（１３）を圧迫するように、プレテンションされる
ことを特徴とするプラグコネクタ機器（１）。
【請求項５】
請求項４に記載のプラグコネクタ機器（１）であって、
前記スナップフィットフック（１２）の両端部（１２．１、１２．２）は、前記接続器具（５）に接続される
ことを特徴とするプラグコネクタ機器（１）。
【請求項６】
請求項１乃至５の何れか一項に記載のプラグコネクタ機器（１）であって、
前記第１のプラグコネクタ（２）の前記ハウジング（２．１）と前記接続器具（５）との間の前記ガイド（９）は、前記２個のプラグコネクタ（２、３）を相互にプラグ接続するプラグ嵌合方向に対して４５度から９０度の角度、好ましくは９０度の角度に延在する
ことを特徴とするプラグコネクタ機器（１）。
【請求項７】
請求項１乃至６の何れか一項に記載のプラグコネクタ機器（１）であって、
前記第１のプラグコネクタ（２）の前記ハウジング（２．１）と前記接続器具（５）との間の前記ガイド（９）は、レールシステムとして構成され、好ましくはＴレールシステム、Ｌレールシステム又はさね継ぎ接続として構成され、特に好ましくは鳩尾継ぎ接続として構成される
ことを特徴とするプラグコネクタ機器（１）。
【請求項８】
請求項１乃至７の何れか一項に記載のプラグコネクタ機器（１）であって、
前記第１のゲートパーツはポジティブガイド（６）として構成され、前記第２のゲートパーツはゲートブロック（７）として構成される
ことを特徴とするプラグコネクタ機器（１）。
【請求項９】
請求項８に記載のプラグコネクタ機器（１）であって、
前記ポジティブガイド（６）は、前記ポジティブガイド（６）及び前記ゲートブロック（７）が前記第２の相対位置関係にあるとき前記ゲートブロック（７）が位置する領域に、前記ゲートブロック（７）を収容する収容部（６．１）、好ましくは形状にフィットする収容部、特に好ましくはスナップフィット収容部、最も好ましくはＣ型スナップフィット収容部を有する
ことを特徴とするプラグコネクタ機器（１）。
【請求項１０】
請求項１乃至９の何れか一項に記載のプラグコネクタ機器（１）であって、
前記接続器具（５）は、前記接続器具（５）が前記ガイド（９）に沿って前記アンロック位置から前記ロック位置へ移動するために前記接続器具（５）に圧縮力を印加することが可能なように、前記第１のプラグコネクタ（２）の前記ハウジング（２．１）と反対側を向く上側に、作動面（５．２）を有する
ことを特徴とするプラグコネクタ機器（１）。
【請求項１１】
請求項１乃至１０の何れか一項に記載のプラグコネクタ機器（１）であって、
前記プラグコネクタ（２、３）は、同軸プラグコネクタとして構成される
ことを特徴とするプラグコネクタ機器（１）。
【請求項１２】
請求項１乃至１１の何れか一項に記載のプラグコネクタ機器（１）であって、
前記プラグコネクタ（２、３）は、高ビットレートのデータ接続が可能に構成される
ことを特徴とするプラグコネクタ機器（１）。
【請求項１３】
請求項１乃至１２の何れか一項に記載のプラグコネクタ機器（１）であって、
前記第１のプラグコネクタは、カプラ（２）、ソケット又はアダプタとして構成され、前記第２のプラグコネクタは、プラグ（３）、インスタレーションプラグ又はアダプタとして構成される
ことを特徴とするプラグコネクタ機器（１）。
【発明の詳細な説明】
【技術分野】
【０００１】
本発明は、機械的かつ電気的接続を確立するために相互にプラグ接続可能な第１のプラグコネクタ及び第２のプラグコネクタを有するプラグコネクタ機器に関する。
【背景技術】
【０００２】
ケーブルの組み立てにおいて、典型的には、プラグコネクタを用いて導体を接続する。プラグコネクタは、プラグ、インスタレーションプラグ、カプラ、ソケット又はアダプタとして構成可能である。本発明の文脈で使用する用語「プラグコネクタ」は、全ての変形例を意味する。
【発明の概要】
【発明が解決しようとする課題】
【０００３】
１個のプラグコネクタは、相補的な別のプラグコネクタに対して相互電気的接続を確立する役割を持つ。
【０００４】
特に、自動車産業（即ち、車両）用のプラグコネクタは、プラグコネクタの堅牢性と、プラグコネクタ機器の信頼性が高く要求される。場合によっては、プラグコネクタ機器は、高い応力（例えば、機械的応力や熱的応力）に対する抵抗力が要求される。また、プラグコネクタ機器は、例えば、車両の運転中に意図せず電気的接続が遮断しないように、規定の方法で閉塞する必要がある。特に、車両の（一部）自動運転及びアシスタントシステムの場合、信頼性の保証は最重要である。
【０００５】
例えば、車両の自動運転の場合又はアシスタントシステムを使用する場合、場合によっては、複数のカメラ、各種センサ及びナビゲーションソースからの大量のデータを相互に合成し、通常はリアルタイムに伝送する。このため、多数の機械、画面及びカメラを動作するためには、車両電子技術において、高出力のインフラが必要である。このため、車両内で要求されるデータレートに鑑み、プラグコネクタ及びケーブルコネクタ機器に対する要求は非常に高くなっている。同時に、プラグコネクタは、設置空間及び重量を抑えるため、可能な限り小型化して構成することも重要である。
【０００６】
本発明は、車両での使用に限定されない。本発明の文脈においては、用語「車両」は、あらゆる移送手段を含み、特に、地上車両（例えば、自動車）、船舶車両又は航空車両（宇宙船を含む）を含む。
【０００７】
本発明は、特定のプラグコネクタ機器又は特定のプラグコネクタの何れにも限定されない。しかしながら、本発明は、高ビットレートのプラグコネクタ（ＨＦプラグコネクタ）に特に適する。特に、プラグコネクタは、ＰＬプラグコネクタ、ＢＮＣプラグコネクタ、ＴＮＣプラグコネクタ、ＳＭＢＡ（ＦＡＫＲＡ）プラグコネクタ、Ｎプラグコネクタ、７／１６プラグコネクタ、ＳＭＡプラグコネクタ、ＳＭＢプラグコネクタ、ＳＭＳプラグコネクタ、ＳＭＣプラグコネクタ又はＳＭＰプラグコネクタとして構成することができる。
【０００８】
好ましくは、プラグコネクタ機器は、所謂ＨＦＭ（「Ｈｉｇｈ  Ｓｐｅｅｄ  ＦＡＫＲＡ  Ｍｉｎｉ」）プラグコネクタ機器として構成することができる。公知技術によれば、このタイプのプラグコネクタ機器は、最大１５ＧＨｚの周波数及び最大２０Ｇｂｉｔ／ｓのデータレートを使用可能である。同時に、このプラグコネクタは、例えば従来のＦＡＫＲＡ規格に比較して、非常に小型であり場所を取らない。
【０００９】
実践上公知であるが、プラグコネクタは、スナップフィット接続で接続される。スナップフィット接続とは、プラグコネクタ機器を、（機械的に解放可能な方法で）固定しつつ、相互にプラグ接続する方法である。例えば、米国特許出願公開第２００３／０１７６１０４号明細書は、プラスチック製ハウジングを有する同軸プラグコネクタを開示する。この同軸プラグコネクタは、所謂ＦＡＫＲＡ規格方式に対応し、ＳＭＢ接続し、スナップフィット接続を開示する。
【００１０】
ＢＮＣプラグコネクタについて、例えば、独国実用新案第２０２０１３０００８７７号明細書は、同軸プラグコネクタを開示する。さらに、プラグコネクタ機器をバイオネット（差し込み）フィッティングにより機械的に固定することが公知である。バイオネットフィッティングの実装において、一方のプラグコネクタに、突起が構成される。他方のプラグコネクタの頭部に、螺旋状の溝を有するバイオネットナットが構成される。突起は、螺旋状の溝に挿入可能である。挿入後、バイオネットナットを回転させることにより、バイオネットフィッティングを閉塞する。これにより、２個のプラグコネクタが接続され、内側で相互に固定される。しかしながら、ＢＮＣプラグコネクタは、全ての用途に適しているわけではない。典型的には、ＢＮＣプラグコネクタは、最大４ＧＨｚの周波数で信号を伝送するのにしか使用できない。
【００１１】
実践上証明されているが、プラグコネクタ機器を機械的に固定することは、電気的接続の品質に大きく影響する。プラグコネクタ機器を機械的に固定することで、例えば、電磁的密閉性又は遮蔽性や、安定性、耐震性及び結果的に低抵抗の接触面が保証されるためである。ここで論証したように、公知のスナップフィット接続は、比較的高いデータレート又は比較的高い伝送周波数を達成するための課題を十分解決するものではない。
【００１２】
本発明の目的は、特に信頼性が高く操作しやすいプラグコネクタ機器を達成することにある。特に、本発明の目的は、設置空間を小型化したまま、高データレートで使用可能なプラグコネクタ機器を達成することにある。
【課題を解決するための手段】
【００１３】
この目的は、請求項１に記載の特徴により達成される。
【００１４】
従属請求項及び以下に説明する特徴は、本発明の有利な実施形態及び変形例に関する。
【００１５】
本発明によれば、プラグコネクタ機器は、機械的かつ電気的接続を確立するために相互にプラグ接続可能な第１のプラグコネクタ及び第２のプラグコネクタを有する。プラグコネクタ機器は、さらに、前記プラグコネクタの前記接続を保持するために前記第１のプラグコネクタのハウジングに設置された付加的な接続器具を有する。
【００１６】
さらに、特殊な用途のプラグコネクタは、機械的かつ電気的接続を確立するために、さらに別の手段を有してもよい。プラグコネクタは、例えば、プラグコネクタの各部材同士が力学的にフィット又は形状的にフィットする手段を有してもよい。さらに、機械的及び／又は磁気的にコーディングする特徴を設けてもよい。これにより、相互に対応するプラグコネクタのみが、相互にプラグ接続可能となり、及び／又は、プラグコネクタは、所望の配向でのみ相互にプラグ接続可能となる。
【００１７】
本発明によれば、接続器具は、少なくとも１個の第１のゲートパーツを有し、前記第２のプラグコネクタのハウジングは、少なくとも１個の第２のゲートパーツを有し、前記第１のゲートパーツ及び前記第２のゲートパーツは、ゲートガイドを共同して構成する。前記ゲートガイドの前記２個のゲートパーツは、前記プラグコネクタが予備ラッチ位置で相互にプラグ接続するとき前記２個のゲートパーツが第１の相対位置関係になるように、設置及び構成される。
【００１８】
以下、「２個の」ゲートパーツと称する場合、「少なくとも１個の第１のゲートパーツ」及び「少なくとも１個の第２のゲートパーツ」を意味すると理解されたい。
【００１９】
予備ラッチ位置にあるプラグコネクタ同士は、好ましくは、第１の位置で相互にプラグ接続するが、まだ、電気的及び機械的に完全には接続していない。予備ラッチ位置での電気的接続は、まだ不完全でもよいし、あるいは、完全に確立してもよいが、オプションである。特に、遮蔽性についても、同じことが言える。プラグコネクタ同士を、予備ラッチ位置に移動することができる。予備ラッチ位置においては、特に力（エネルギー）の観点で大きな労力を全く必要とせずに、従来の形態のプラグコネクタ同士を、プラグ嵌合方向に軸状に相互にプラグ接続することができる予備ラッチ位置において、少なくともプラグコネクタ同士の個々の部材（好ましくは、ハウジングパーツ又はラッチ部材）を、相互に挿入し、プラグコネクタを緩く保持しておく（あるいは、オプションではあるが、第１の固定機構に挿入しておく）のが好ましい。
【００２０】
さらに、本発明によれば、前記接続器具は、少なくとも１個のガイドを用いて、前記第１のプラグコネクタの前記ハウジングに接続される。
【００２１】
これにより、接続器具は、ハウジング上をガイドに沿って移動することができる。あるいは、接続器具は、第１のプラグコネクタのハウジングに対して互いに相対的に移動することができる。
【００２２】
前記プラグコネクタは、前記２個のゲートパーツが第２の相対位置関係にあるとき前記プラグコネクタが端子位置で相互にプラグ接続するように、前記ガイド及び前記ゲートガイドを用いて機械的に連結される。
【００２３】
各ゲートパーツは、開口（即ち、位置決めシステム領域）又は収容部を有してもよい。これにより、予備ラッチ位置においてプラグコネクタ同士が相互にプラグ接続するとき、終端側の対応するゲートパーツを（即ち、プラグ嵌合方向又は軸方向に）受け入れることができる。続いて、好ましくは、受け入れられたゲートパーツは、受け入れる側のゲートパーツ内で、ポジティブにガイドされる。これにより、結果的に、従来のゲートガイドが提供される。
【００２４】
接続器具は、ガイドを用いて、第１のプラグコネクタのハウジングに機械的に接続される。第２のプラグコネクタは、ゲートガイドにより、接続器具に接続される。これにより、ガイド及びゲートガイドを用いて、プラグコネクタのハウジング同士を機械的に接続することができる。
【００２５】
本発明によれば、前記接続器具は、前記２個のゲートパーツを前記第２の位置に移動させるように、前記第１のゲートパーツを用いてアンロック位置からロック位置まで前記第１のプラグコネクタの前記ハウジングに対して相対的に、前記ガイドに沿って移動可能である。
【００２６】
接続器具は、アンロック位置からロック位置まで、第１のプラグコネクタのハウジングに対して相対的に、ガイドに沿って移動する。このとき、この移動により、２個のゲートパーツが第２の相対位置関係まで移動する。結果的に、接続器具の移動が、ゲートガイドを用いて、第２のプラグコネクタに伝達する。これにより、プラグコネクタ同士が相互に向かい合うように移動し、端子位置において相互にプラグ接続する。これにより、接続器具を動かすだけで、プラグコネクタを端子位置に移動させることができる。好ましくは、接続器具がガイドに沿って相対移動する間、プラグコネクタ同士が、プラグ嵌合方向に相互に移動する。
【００２７】
接続器具は、好ましくは、少なくとも略Ｕ字形に構成される。接続器具外側は、第１のプラグコネクタのハウジングに接する。
【００２８】
第１のプラグコネクタのハウジングは、断面視したとき、好ましくは角張り、好ましくは長方形に構成され、特に好ましくは正方形に構成される。好ましくは、対応する第２のプラグコネクタのハウジングも、断面視したとき、好ましくは角張り、好ましくは長方形に構成され、特に好ましくは正方形に構成される。従って、好ましくは、接続器具は、変形したＵ字形を有する。さらに、好ましくは、Ｕ字形の接続器具の脚と、第１のプラグコネクタのハウジングの隣接するハウジング面との間に、２個のガイドが構成される。
【００２９】
本発明の設計により改良されたプラグコネクタは、高データレートでデータを伝送できる。特に、公知技術に対策を付加しない場合に伝送可能なレートよりも高いレートで、データを伝送できる。特に、公知のＨＦＭプラグコネクタ機器を用いて伝送可能なレートよりも高いレートで、データを伝送できる。
【００３０】
接続を改良したことにより、場合によっては、１８ＧＨｚより高い周波数かつ２４Ｇｂｉｔ／ｓより高いデータレートで、データを伝送することができる。
【００３１】
付加的な接続器具を使用することにより、接続器具パーツの他の公差が大きい場合でも、プラグコネクタ機器が電気的及び機械的に確実に接続するのを保証することができる。本発明によれば、プラグコネクタ機器は、特に高消費電力に適している。プラグコネクタ機器は、欠陥の影響を受けにくい。プラグコネクタ機器の部材の公差が大きい場合も、その影響を受けにくい。
【００３２】
従来のラッチロッカー（振り子）又はスナップフィット接続においては、プラグコネクタ同士を端子位置に固定することが意図されている。これらの接続で考慮されている公差のサイズでは、さらに対策を付加しなければ、特に高いデータレートを達成できない。
【００３３】
本発明に係るプラグコネクタは、設置空間が小さく済むように設計される。この目的を達成するプラグコネクタとして、例えば、ＨＦＭプラグコネクタ機器用のプラグコネクタを構成することができる。
【００３４】
本発明に係るプラグコネクタは、車両（特に、自動車）内での使用に特に有利である。潜在的な用途分野として、自動運転、運転手アシスタントシステム、ナビゲーションシステム、インフォテインメントシステム、後部客席用エンターテインメントシステム、インターネット接続及びワイヤレスギガビット（ＩＥＥＥ８０２．１１ａｄ規格）が挙げられる。潜在的用途として、高解像度カメラ（例えば４Ｋ及び８Ｋカメラ）、センサシステム、車載コンピュータ、高解像度画面、高解像度ダッシュボード、３Ｄナビゲーション機器及び携帯電話機器が挙げられる。本発明に係るプラグコネクタは、電子技術の全分野の任意の用途に適するものであり、自動車技術の使用に限定されないものと理解されたい。
【００３５】
一改良点によれば、特に、プラグコネクタは、高ビットレートでデータ接続可能に構成してもよい。
【００３６】
プラグコネクタ機器の相互プラグ接続状態の機械的かつ電気的接続を改良することにより、本発明に係るプラグコネクタ機器は、高データレートで信号を伝送するのに特に適している。何故なら、この場合の費用対効果が最も有利だからである。
【００３７】
本発明に係るプラグコネクタは、任意のプラグコネクタ機器として構成することができる。
【００３８】
好適な一改良点によれば、プラグコネクタは、同軸プラグコネクタとして構成されても良い。
【００３９】
同軸ケーブル及び付随する同軸プラグコネクタは、良好な電気的遮蔽性を有する。このため、このタイプ（同軸タイプ）の設計の実施形態は、本発明に係るプラグコネクタ機器に、特に適している。
【００４０】
第１及び／又は第２のプラグコネクタは、オプションではあるが、回路基板プラグコネクタとして構成してもよい。
【００４１】
一改良点によれば、第１のプラグコネクタは、カプラ又はソケットとして構成してもよい。第２のプラグコネクタは、プラグ又はインスタレーションプラグとして構成してもよい。また、第１及び／又は第２のプラグコネクタは、アダプタとして構成してもよい。
【００４２】
本発明に係るプラグコネクタの構成は、一直線状でもよいし、及び／又は、曲がっていてもよい。
【００４３】
プラグコネクタ機器は、任意のケーブル径のケーブルに使用可能でもよい。好ましくは、プラグコネクタ機器は、０．５ｍｍから１０ｍｍまで、特に好ましくは、１ｍｍから５ｍｍまでのケーブル径に使用可能でもよい。プラグコネクタ機器は、最も好ましくは、１．２ｍｍ、２．９ｍｍ又は３．６ｍｍのケーブル径に使用可能でもよい。
【００４４】
好ましくは、プラグコネクタは、ウォータープルーフに構成してもよい。特に、プラグコネクタ機器が相互プラグ接続状態であるときにウォータープルーフであるプラグコネクタを構成してもよい。
【００４５】
プラグコネクタの導体又は内部導体の数は、それぞれ任意でよい。一実施形態に係る設計によれば、１本の導体、２本の導体、３本の導体、４本の導体、５本の導体、６本以上の導体が、特に好ましい。
【００４６】
本発明の一改良点によれば、前記接続器具は、前記第１のプラグコネクタに離脱不可能に接続してもよい。
【００４７】
これにより、組み立てをシンプルにできる。さらに、特に、組み立て作業中に接続器具をなくすことを防止できる。
【００４８】
接続器具は、固定ワイヤ等を用いて、第１のプラグコネクタに対して、離脱不可能にかつ緩く接続してもよい。しかしながら、また、接続器具が第１のプラグコネクタのハウジングに対して基本位置にある状態で、接続器具を第１のプラグコネクタに対して離脱不可能に接続してもよい。あるいは、接続器具が第１のプラグコネクタのハウジングに対して本発明のアンロック位置にある状態で、接続器具を第１のプラグコネクタに対して離脱不可能に接続してもよい。
【００４９】
あるいは、接続器具は、プラグコネクタ機器の一部ではあるが、離れた状態でもよい。この場合、例えば、予備ラッチ位置でプラグコネクタ同士を相互にプラグ接続する後又は前に、接続器具を、第１のプラグコネクタに装着すればよい。
【００５０】
本発明の一改良点によれば、前記接続器具は、少なくとも１個の移動止め部材を有し、前記第１のプラグコネクタの前記ハウジングは、少なくとも１個の移動止めを有し、前記移動止め部材及び前記移動止めは、前記接続器具が前記アンロック位置から前記ロック位置への方向及び／又は逆方向に前記ガイドに沿って移動する限界を定めてもよい。
【００５１】
この設計のため、接続器具を、第１のプラグコネクタのハウジングに接続することができる。これにより、接続器具は、接続器具の移動方向の少なくとも一方向に離脱不可能となる。
【００５２】
好ましくは、接続器具の移動止め部材は、タブ又は突起として構成される。好ましくは、移動止め部材は、接続器具の基本形状よりも後方に、プラグ嵌合方向に突出し、移動止めに干渉する。
【００５３】
１個の移動止め部材及び１個の移動止めのみを設け、これにより、接続器具の一方向の移動の限界を定めてもよい。例えば、接続器具が常に一方向のみに離脱するように、接続器具が別の手段により保持されているとする。この場合、接続器具の一方向の移動の限界を定めることは有利である。
【００５４】
好ましくは、接続器具は少なくとも１個の移動止め部材を有し、第１のプラグコネクタのハウジングは少なくとも１個の移動止めを有せばよい。これにより、接続器具がガイドに沿ってロック位置からアンロック位置を超えて移動することの限界を定めることができる。
【００５５】
好ましくは、共通の設計を有する２個以上のガイドを設ければよい。
【００５６】
本発明によれば、好ましくは、プラグコネクタ機器は、２個のガイドを有する。好ましくは、接続器具は、第１のプラグコネクタのハウジングの両側上でガイドされる。このとき、好ましくは、２個のガイドは、鏡面対称に設置及び構成される。この構成は、接続器具を第１のプラグコネクタのハウジングに対して相対的にガイドするのに、特に好適である。
【００５７】
接続器具は、実質的にＵ字形に構成すればよい。好ましくは、全てのガイド部材（特に、ゲートガイド及びガイド）及び全ての固定部材（特に、移動止め、移動止め部材、固定部材（後述）及びアンロック部材（後述））は、第１のプラグコネクタの両側に、第１のプラグコネクタのハウジングの両側に、又は、接続器具の両脚の両側に、対称に設置される。このように対称に設置される場合、Ｕ字形の構成は有利である。
【００５８】
接続器具がＵ字形に構成される場合、接続器具がガイドに沿って移動する限界を定めるのは、一方向で足りる。何故なら、Ｕ字形の構成によれば、脚同士を接続する面を用いて、逆方向への離脱を本質的に規制することができるためである。
【００５９】
一改良点によれば、前記接続器具は、少なくとも１個の固定部材を有し、前記第１のプラグコネクタの前記ハウジングは、少なくとも１個の移動止め面を有し、前記移動止め面は、前記プラグコネクタの非プラグ接続状態において、前記接続器具が前記アンロック位置から前記ロック位置に向かう前記方向に移動するのを規制してもよい。
【００６０】
アンロック位置又は基本位置において、接続器具を固定することは有利になりうる。これにより、予備ラッチ位置でプラグコネクタ同士が容易に相互にプラグ接続することが保証される。このとき、接続器具を何ら動かしたり精査したりする必要が無い。これにより、プラグコネクタ機器を特に容易に取り扱いやすく、動作時に不具合が発生しにくい。
【００６１】
本発明の一改良点によれば、さらに、前記第２のプラグコネクタは、少なくとも１個のアンロック部材を有し、前記アンロック部材は、前記プラグコネクタを相互にプラグ接続するとき、好ましくは前記予備ラッチ位置に到達するとき、前記固定部材及び前記ハウジングの前記移動止め面が前記アンロック位置から前記ロック位置への前記接続器具の前記移動路をブロックしないように、前記少なくとも１個のアンロック部材が前記少なくとも１個の固定部材を移動または動作させるように設置及び構成されてもよい。
【００６２】
アンロック部材は、例えば、第２のプラグコネクタのハウジングの特定のモールディング成型物又は突起とすればよい。
【００６３】
アンロック部材は、好ましくは、第２のプラグコネクタのハウジングから横に突出するウェブである。プラグコネクタを相互にプラグ接続するとき、アンロック部材は、固定部材を移動または動作させる。これにより固定部材は、接続器具の移動路の外に移動する。
【００６４】
第２のプラグコネクタがアンロック部材を有するので、接続器具は、対応する第２のプラグコネクタと共に正しく使われるときのみ、アンロック位置からガイドに沿ってロック位置まで移動可能である。接続器具は、プラグコネクタ同士を相互にプラグ接続する。このとき、接続器具は、好ましくはプラグコネクタ同士が予備ラッチ位置に移動するとすぐに、好ましくは自動で解放する。
【００６５】
好ましくは、プラグコネクタ機器は、下位互換性を有するように構成すればよい。一設計実施形態によれば、本発明に係るプラグコネクタは、ＨＦＭプラグコネクタ規格に準拠する。この場合、例えば、第１及び／又は第２のプラグコネクタは、従来のＨＦＭプラグコネクタとも通信可能であればよく、ＨＦＭタイプのプラグコネクタとプラグ接続可能であればよい。仮に、ＨＦＭプラグコネクタとプラグ接続する場合に接続器具がオプションとして使用不可能（この場合には、例えば、アンロックすることも無い）であったとしても、下位互換性があることは、経済的な理由により有利となり得る。
【００６６】
本発明の一改良点によれば、前記固定部材は、スナップフィットフックとして構成され、前記プラグコネクタの前記非プラグ接続状態において前記スナップフィットフックの少なくとも一部が前記第１のプラグコネクタの前記ハウジングの前記移動止め面を圧迫するように、プレテンションされてもよい。
【００６７】
スナップフィット接続は、固定部材を構成するのに特に有利であると実証されている。アンロック部材は、好ましくは第２のプラグコネクタのハウジングから突出する。このため、アンロック部材は、プラグコネクタ同士を相互にプラグ接続するとき、スナップフィットフック又はフックをシンプルな方法で作動することができる。スナップフィットフックは、以下の動作を可能にする挿入領域を有してもよい。アンロック部材は、初めにスナップフィットフックの上方に位置する。そして、アンロック部材は、プラグコネクタ同士が相互にプラグ接続するときのみ、スナップフィットフックを作動する（特に、スナップフィットフックを外側に向けて押圧する）。これは、スナップフィットフックを対応する形状にする、というシンプルな方法で達成することができる。
【００６８】
この目的を達成するため、スナップフィットフックを弾性的に構成してもよい。
【００６９】
オプションではあるが、スナップフィットフックは、さらに所定の限界点として構成してもよい。これにより、プラグコネクタ同士が最初に相互にプラグ接続するとき、接続器具が常時解放する。
【００７０】
本発明の一改良点によれば、さらに、前記スナップフィットフックの両端部は、前記接続器具に接続されてもよい。
【００７１】
発明者らの知見によれば、スナップフィットフックを両端部に固定すれば、プラグコネクタ機器がより堅牢となり、不具合を発生しにくい。これにより、比較的大きな力がスナップフィットフックに印加された場合であっても、スナップフィットフックは、固定部材としての機能を失わない。
【００７２】
最も好ましくは、曲がったスナップフィットフックを構成すればよい。好ましくは、スナップフィットフックの曲がった部位（即ち、スナップフィットフックの角）に近い領域が、固定機能を有する。固定機能により、曲がった部位（即ち、角）が、接続器具の移動路に位置し、ハウジングの移動止め面を圧迫する。この場合、プラグコネクタ同士が相互にプラグ接続するとき、第２のプラグコネクタのアンロック部材が移動路から外れた位置にある角を押圧することにより、接続器具を解放することができる。特に有利には、曲がったスナップフィットフックの両端部を、接続器具に接続すればよい。
【００７３】
曲がった構成のスナップフィットフックの形状は、平面視したとき、好ましくは、数字の「７」又は文字の「Ｌ」の形状を有する。スナップフィットフックは、好ましくは、相互に略直交又は直角に延在する２個の部位を有すればよい。この場合、好ましくは、２個の部位のうち一方の部位（好ましくは、長い方の部位）がプラグ嵌合方向に延在するように、スナップフィットフックを設置すればよい。このとき、他方の部位（好ましくは、短い方の部位）は、好ましくは、接続器具とハウジングと間のガイドと平行に延在すればよい。このとき、好ましくは、プラグコネクタ機器が閉塞状態でないとき、この部位の一端部（具体的に、好ましくは、２個目の部位に続く、曲がった端部）は、ハウジングの移動止め面を圧迫する。接続器具がＵ字形に構成される場合、この他方の部位の他端部（好ましくは、ハウジングの移動止め面から最上部まで延在する端部）は、好ましくは、作動面（Ｕ字形の接続器具の２個の脚を橋渡しする面）に接続する。これにより、プラグコネクタ機器が閉塞状態でないときに、本来接続器具をアンロック位置からロック位置まで移動させてしまう力が、意図せず作動面に印加されるとする。このとき、この力は、スナップフィットフックのこの他方の部位によって、作動面からハウジングの圧迫面に直接的に印加される。その結果、作動面に印加された力によって、スナップフィットフックが離間方向に押圧されたり屈曲したりしないため、意図せずスナップフィットフックがアンロック位置から移動することが無い。第２のプラグコネクタのハウジングのアンロック部材がスナップフィットフックを作動（好ましくは、プラグ嵌合方向に延在するスナップフィットフックの部位を外側に押圧）して初めて、接続器具は、アンロック位置からロック位置に移動可能となる。
【００７４】
固定部材（特に、一設計実施形態によれば、スナップフィットフック）は、好ましくは、接続器具の壁からモールディング成型され、切削され、又は、打ち抜き成型される。あるいは、固定部材は、少なくとも、例えば、射出モールディング成型方法により、壁と一体的に製造される。あるいは、スナップフィットフック又はフックは、接続器具の壁から分離して構成してもよい。
【００７５】
オプションではあるが、異なる複数の固定部材又は異なる複数のスナップフィットフックを組み合わせて、複数の固定部材として使用してもよい。例えば、直線状の外形のスナップフィットフックと、曲がった外形のスナップフィットフックとを組み合わせてもよい。
【００７６】
本発明の一改良点によれば、前記第１のプラグコネクタの前記ハウジングと前記接続器具との間の前記ガイドは、前記２個のプラグコネクタを相互にプラグ接続するプラグ嵌合方向に対して４５度から９０度の角度、好ましくは９０度（言い換えれば、プラグ嵌合方向に対して直交）の角度に延在してもよい。
【００７７】
あるいは、任意の直線状又は曲線状の外形を有するガイドを設けてもよい。しかしながら、構造上の理由から、直交及び直線状の外形のガイドが有利である。
【００７８】
一改良点によれば、前記第１のプラグコネクタの前記ハウジングと前記接続器具との間の前記ガイドは、レールシステムとして構成され、好ましくはＴレールシステム、Ｌレールシステム又はさね継ぎ接続として構成され、特に好ましくは鳩尾継ぎ接続として構成されてもよい。
【００７９】
特に有利と実証されている構成は、特に、鳩尾継ぎ接続部、又は、ガイド内で少なくとも二方向に接続器具の側壁を離脱不可能に保持するレールシステムである。鳩尾継ぎのガイドは、特に、接続器具（好ましくはＵ字形）が、横方向にしなって開くのを防ぐこともできるので、好ましい。
【００８０】
本発明の一改良点によれば、前記第１のゲートパーツはポジティブガイドとして構成され、前記第２のゲートパーツはゲートブロックとして構成されてもよい。
【００８１】
勿論、一実施形態において、前記第２のゲートパーツはポジティブガイドとして構成され、前記第１のゲートパーツはゲートブロックとして構成されてもよい。
【００８２】
プラグコネクタの両側に設けられた複数のゲートガイド（例えば、２個のゲートガイド）が使用されてもよい。この場合、さらに、ゲートブロックが接続器具の一方の脚に設けられ、ポジティブガイドが他方の脚に設けられてもよい。このため、対応する（言い換えれば、補足的な）実施形態において、第２のプラグコネクタが構成される。
【００８３】
好ましくは、ゲートブロックは、第２のプラグコネクタのハウジングから横に突出するピン状に構成してもよい。
【００８４】
プラグ嵌合方向において、ポジティブガイドは、好ましくは、開口（即ち、位置決めシステム領域）等を有してもよい。これにより、プラグコネクタ同士が予備ラッチ位置で相互にプラグ接続するとき、ゲートブロックをポジティブガイドに容易に挿入可能となる。
【００８５】
好適な一改良点によれば、前記ポジティブガイドは、前記ポジティブガイド及び前記ゲートブロックが前記第２の相対位置関係にあるとき前記ゲートブロックが位置する領域に、前記ゲートブロックを収容する収容部、好ましくは形状にフィットする収容部、特に好ましくはスナップフィット収容部、最も好ましくはＣ型スナップフィット収容部を有してもよい。
【００８６】
ポジティブガイドは、第２の位置に、形状にフィットする収容部を有する。このため、端子位置で、第２のプラグコネクタが第１のプラグコネクタに固定する。この固定を、接続器具のみにより、少なくとも保持（又は、オプションではあるが、実現）することができる。これに替えて又はこれに付加して、別の機械的なラッチ装置を用いて、接続器具をロック位置に固定してもよい。
【００８７】
特に、スナップフィット収容部として収容部を構成する場合、ゲートブロックをスナップフィット収容部にスナップフィッティングすることで、プラグコネクタ機器が自動的に端子位置に移動可能である。このため、プラグコネクタ機器がさらに不具合を発生しにくい。さらに、組立技術者は、プラグコネクタ機器の触覚的（オプションではあるが、同時に聴覚的）フィードバックシグナルを受けることができる。これにより、組立技術者は、電気的及び機械的接続が確立したことを示す所望のフィードバックを受ける。
【００８８】
一改良点によれば、前記接続器具は、前記接続器具が前記ガイドに沿って前記アンロック位置から前記ロック位置へ移動するために前記接続器具に圧縮力を印加することが可能なように、前記第１のプラグコネクタの前記ハウジングと反対側を向く上側に、作動面を有してもよい。
【００８９】
作動面は、好ましくは、構造的な構成を有する。さらに、これにより、組立技術者は、目視しなくても、作動面を容易に探し当てることができる。
【００９０】
第１のプラグコネクタ又は第１のプラグコネクタのハウジングのそれぞれ、第２のプラグコネクタ又は第２のプラグコネクタのハウジングのそれぞれ、及び接続器具は、異なる色調で設計してもよい。これにより、組立技術者は、機械的又は電気的接続状態を極力シンプルに視覚的にチェックすることができる。このため、組立技術者は、例えば、プラグコネクタ機器が予備ラッチ位置にあるのか端子位置にあるのかを区別することができる。オプションではあるが、以下の設計を選択することにより、機械的又は電気的接続状態を特に容易に識別することができる。ポジティブガイドは、遊びを有する。遊び（即ち、窓）の形態を、以下のように予め規定しておけばよい。予備ラッチ位置において、異なる２色のプラグコネクタ同士のハウジングパーツが、遊びを介して外から見えるようにする。一方、端子位置に到達したときは、１色（好ましくは、ハウジングパーツの色）だけが、遊びを介して外から見えるようにする。
【図面の簡単な説明】
【００９１】
【図１】第１のプラグコネクタ、第２のプラグコネクタ及び接続器具を有し、非プラグ接続状態である、本発明に係るプラグコネクタ機器を示す斜視図である。
【図２】第１のプラグコネクタのハウジングの移動止め面に対してロックしたときの、スナップフィットフックの構成における固定部材を示す。
【図３】第１のプラグコネクタのハウジングの移動止め面に対してアンロックしたときの、スナップフィットフックの構成における固定部材を示す。
【図４】第１のプラグコネクタのハウジングの移動止め面に対してロックしたときの、スナップフィットフックの構成における別の固定部材を示す。
【図５】第１のプラグコネクタのハウジングの移動止め面に対してアンロックしたときの、スナップフィットフックの構成における別の固定部材を示す。
【図６】第１のプラグコネクタのハウジングの移動止め面に対してロックしたときの、スナップフィットフックの構成における、曲がった外形を有する固定部材を示す。
【図７】第１のプラグコネクタのハウジングの移動止め面に対してアンロックしたときの、スナップフィットフックの構成における、曲がった外形を有する固定部材を示す。
【図８】予備ラッチ位置での、本発明に係るプラグコネクタ機器を示す斜視図である。
【図９】端子位置での、本発明に係るプラグコネクタ機器を示す斜視図である。
【図１０】非プラグ接続状態での、本発明に係るプラグコネクタ機器を示す側面図である。
【図１１】予備ラッチ位置での、本発明に係るプラグコネクタ機器を示す側面図である。
【図１２】端子位置での、本発明に係るプラグコネクタ機器を示す側面図である。
【図１３】予備ラッチ位置での、本発明に係るプラグコネクタ機器を示す、図１１の断面Ｂ−Ｂに沿った一部断面を示す平面図である。
【図１４】本発明に係るプラグコネクタ機器を拡大して示す、図１１の断面Ａ−Ａに沿った一部断面を示す背面図である。
【発明を実施するための形態】
【００９２】
以下、図面を参照して本発明の実施形態例をより詳細に説明する。
【００９３】
好ましい実施形態例を図面に示す。ここで、本発明に係る個々の特徴を相互に組み合わせて図示する。一実施形態例に係る複数の特徴は、それぞれ、同じ実施形態例の別の特徴とは別に独立して実施することも可能である。従って、一実施形態例に係る複数の特徴は、それぞれ、別の目的に沿う組み合わせ及びサブコンビネーションを達成するために、当業者により他の実施形態例の特徴と組み合わせられることも可能である。
【００９４】
図面において、同じ機能を有する部材には、同じ参照符号を付す。
【００９５】
図１は、プラグコネクタ機器１を示す斜視図である。プラグコネクタ機器１は、機械的かつ電気的接続を確立するために相互にプラグ接続可能な第１のプラグコネクタ２及び第２のプラグコネクタ３を有する。
【００９６】
一例として示すプラグコネクタ２、３は、内部導体４．１を有する４本のケーブル４を接続するための同軸プラグコネクタの一実施形態である。
【００９７】
勿論、本発明の文脈においては、任意の接続数のケーブル４又は内部導体４．１を有する任意のプラグコネクタ機器１が設けられてもよい。
【００９８】
本発明の実施形態例においては、ＨＦＭ互換プラグコネクタ機器１を用いて示す。しかしながら、本発明は、本規格のプラグコネクタ機器に限定されるものでないと理解されたい。
【００９９】
実施形態例において、第１のプラグコネクタ２は、カプラ２として構成される。第２のプラグコネクタ３は、プラグ３として構成される。しかしながら、原則的に、プラグコネクタ２、３のそれぞれは、プラグ、インスタレーションプラグ、カプラ、ソケット又はアダプタとして構成可能である。
【０１００】
図示のプラグコネクタ機器１は、さらに、プラグコネクタ２、３の接続を保持するために第１のプラグコネクタ２のハウジング２．１に設置された付加的な接続器具５を有する。
【０１０１】
本実施形態例において、接続器具５は、Ｕ字形に構成され、第１のプラグコネクタ２のハウジング２．１に装着される。Ｕ字形の接続器具５の両脚５．１にそれぞれ、第１のゲートパーツ６（ポジティブガイド６）が構成される。勿論、任意の実施形態において、第１のゲートパーツ６は、片側のみ（一方の脚５．１）に設けられてもよいし、あるいは、接続器具５の任意の位置に設けられてもよい。
【０１０２】
さらに、第２のプラグコネクタ３のハウジング３．１は、両側にそれぞれ、１個の第２のゲートパーツ７を有する。第２のゲートパーツ７は、ゲートブロック７又はピンとして構成される。
【０１０３】
接続器具５のポジティブガイド６と、第２のプラグコネクタ３のハウジング３．１のゲートブロック７は、ゲートガイドを構成する。２個のゲートパーツ６、７は、プラグコネクタ２、３が予備ラッチ位置で相互にプラグ接続するとき２個のゲートパーツ６、７が第１の相対位置関係になるように、設置及び構成される。図８は、予備ラッチ位置と、このときのゲートパーツ６、７の第１の相対位置関係とを示す。プラグコネクタ２、３が相互にプラグ接続するとき、ゲートブロック７は、接続器具５の開口８（即ち、位置決めシステム領域）を通って、ポジティブガイド６に挿入される。続いて、ゲートブロック７は、ポジティブガイド６に対する第１の位置に来る。
【０１０４】
接続器具５は、少なくとも１個のガイド９を用いて、第１のプラグコネクタ２のハウジング２．１に接続される（図１３も参照）。
【０１０５】
実施形態例において、２個のガイド９が設けられる。即ち、各脚５．１に、１個のガイド９が設けられる。
【０１０６】
プラグコネクタ２、３は、２個のゲートパーツ６、７が第２の相対位置関係であるときプラグコネクタ２、３が端子位置で相互にプラグ接続するように、ガイド９及びゲートガイド（ゲートパーツ６、７により構成される）を用いて機械的に連結される。図９は、プラグコネクタ機器１の端子位置と、このときのゲートパーツ６、７の第２の相対位置関係とを示す。このとき、ゲートブロック７は、ポジティブガイド６内の上側位置に来る。
【０１０７】
ゲートガイドの第２の位置において、ゲートブロック７は、ポジティブガイド６の端部（即ち、ポジティブガイド６の開口８の向かい側）に位置する。
【０１０８】
第１及び第２の位置は、プラグコネクタ２、３のプラグ嵌合方向にオフセットするように設けられる。
【０１０９】
本発明によれば、接続器具５は、２個のゲートパーツ６、７を第２の位置に移動させるように、第１のゲートパーツ６を用いてアンロック位置（接続器具５の位置は、図１、８、１０、１１、及び１４に図示）からロック位置（接続器具５の位置は、図９及び１２に図示）まで第１のプラグコネクタ２のハウジング２．１に対して相対的に、ガイド９に沿って移動可能である。
【０１１０】
実施形態例において、ガイド９は、第１のプラグコネクタ２のハウジング２．１と接続器具５との間に延在する。ガイド９は、プラグコネクタ２、３のプラグ嵌合方向に直交して延在する。プラグコネクタ２、３が予備ラッチ位置で相互にプラグ接続し、続いて、接続器具５が、プラグ嵌合方向に直交する方向に、ガイド９に沿って押し下げられる。すると、第２のプラグコネクタ３と接続器具５とが機械的連結（ゲートガイド）し、接続器具５と第１のプラグコネクタ２のハウジング２．１とが（ガイド９を用いて）機械的連結する。これにより、ゲートガイドが、接続器具５の直交方向の移動を、プラグコネクタ２、３のプラグ嵌合方向の移動に変換する。その結果、プラグコネクタ２、３が端子位置まで移動する（即ち、相互にプラグ接続する）。
【０１１１】
図１０、１１及び１２は、相互プラグ接続の手順を示す側面図である。
【０１１２】
図１０は、解放状態のプラグコネクタ機器１を示す。このとき、接続器具５は、接続器具５のロック位置で固定される。従って、接続器具５は、各第２のゲートパーツ７（即ち、第２のプラグコネクタ３）を受けるのに適した位置にある。
【０１１３】
図１１において、プラグコネクタ２、３は、予備ラッチ位置にある。このとき、ゲートブロック７は、接続器具５のポジティブガイド６に挿入されている。本実施形態例において、プラグコネクタ２、３は、オプションではあるが、プラグコネクタ２、３の各ハウジング２．１、３．１を用いて、機械的に接続されている。しかしながら、電気的接続（特に、内部導体４．１の電気的接続）は、必ずしも完全には確立していない。図１１は、解りやすさのため、一部断面を示す。断面図に示すように、プラグコネクタ２、３の間に空間が残っている。その結果、未だ、第２のプラグコネクタ３の内部導体４．１は、第１のプラグコネクタ２の内部導体収容部に、完全にはプラグ接続していない。このため、特定の環境下では、プラグコネクタ機器１の電磁的適合性、耐震性、及び所望の低インピーダンスが達成されていない。
【０１１４】
なお、本実施形態例に図示した様な、予備ラッチ位置でのプラグコネクタ２、３のハウジング２．１、３．１の機械的接続は、この時点では必須ではない。本発明の文脈においては、ハウジング２．１、３．１同士の機械的接続が無くても、あるいは、実際に機械的接続があっても、予備ラッチ位置が成立し得る。しかしながら、ハウジング２．１、３．１が実際に機械的に接続していても、必ずしも電気接触しているわけではないし、及び／又は、ハウジング２．１、３．１が完全に結合しているわけではない。
【０１１５】
図１２は、プラグコネクタ機器１の完全な結合状態を示す。言い換えれば、プラグコネクタ２、３が端子位置にあり、接続器具５がロック位置にあり、ゲートパーツ６、７が第２の相対位置関係にある。一部断面図に示すように、内部導体４．１は、このとき、完全にプラグ接続（言い換えれば、規定の位置でプラグ接続）している。
【０１１６】
接続器具５は、接続器具５がガイド９に沿ってアンロック位置からロック位置へ移動するために接続器具５に圧縮力を印加することが可能なように、第１のプラグコネクタ２のハウジング２．１と反対側を向く上側に、作動面５．２を有する。
【０１１７】
作動面５．２は、例えば、作動させるときに組立技術者が握りやすいように構成される。
【０１１８】
本発明の実装によれば、接続器具５は、特に、ガイド及びゲートガイドがあるため、力（エネルギー）の観点で比較的少ない労力でプラグコネクタ２、３を製造できる点が有利である。言い換えれば、組立技術者は、作動面５．２に比較的小さな力を加えれば、プラグコネクタ２、３を製造できる。ガイド９及びゲートガイドを用いない実装においては、予備ラッチ位置から端子位置までプラグコネクタ２、３を相互にプラグ接続する場合、力（エネルギー）の観点で大幅に大きな労力が必要となる。
【０１１９】
実施形態例において、ポジティブガイド６は、ゲートブロック７が第２の位置にあるときゲートブロック７が位置する領域に、ゲートブロック７を収容する収容部６．１を有する。好ましくは、収容部６．１は、Ｃ型スナップフィット収容部として構成される。接続器具５が想定通りに作動する（言い換えれば、アンロック位置からロック位置の方向にガイド９に沿って移動する）とき、ゲートブロック７は、Ｃ型スナップフィット収容部６．１内にスナップし、Ｃ型スナップフィット収容部６．１内に完全にロックされる。このため、組立技術者は、触覚的なフィードバックシグナルを受けることができる。これにより、例えば、組立技術者は、プラグコネクタ機器１が閉塞し、規定の方法で固定したと推定できる。
【０１２０】
必要に応じて、プラグコネクタ２、３を分離することもできる。分離するには、平たい物（例えば、スクリュードライバー）を、後ろ側から接続器具５に（接続器具５と第１のプラグコネクタ２のハウジング２．１との間に）挿入すればよい。続いて、ロック位置にある第１のプラグコネクタ２のハウジング２．１を梃子の原理で動かすことにより、接続器具５を解放する。
【０１２１】
実施形態例において、接続器具５は、第１のプラグコネクタ２に離脱不可能に接続する。
【０１２２】
本実施形態例において、接続器具５は、移動止め部材１０を有する。移動止め部材１０は、ツメ、突起又はタブ状である。接続器具５の各脚５．１から、１個の移動止め部材１０が突出する。これに対応して、第１のプラグコネクタ２のハウジング２．１は、両側に、１個ずつの移動止め１１を有する。移動止め１１は、接続器具５がアンロック位置と反対側に、ロック位置と逆方向にガイド９に沿って移動する限界を定める。
【０１２３】
図示の移動止め部材１０は、第１のプラグコネクタ２のハウジング２．１の移動止め１１を圧迫する。これにより、移動止め部材１０は、本実施形態例の接続器具５が、第１のプラグコネクタ２により引き上げられたり持ち上げられたりするのを規制する。あるいは、ガイド９自体を、端子の移動止めタイプとしてもよい。
【０１２４】
本実施形態例に示す移動止め部材１０及び移動止め１１の設計により、接続器具５を、第１のプラグコネクタ２のハウジング２．１に極めてシンプルに結合することが可能となる。Ｕ字形に構成された接続器具５は、ハウジング２．１にシンプルに装着することができる（本実施形態例の図示では、上方から）。接続器具５は、移動止め部材１０が移動止め１１を乗り越えるまで、ハウジング２．１にフィットしながら押圧される。接続器具５は、移動止め部材１０が移動止め１１を乗り越えた後、ラッチ（掛け金式に締結）する。このとき、接続器具５の逆方向への移動が、接続器具５の移動止め部材１０及びハウジング２．１の移動止め１１により規制される。このとき、接続器具５をガイド９内に通す（即ち、接続器具５をガイド９に沿って移動させる）ことにより、接続器具５をハウジング２．１に結合する。
【０１２５】
ハウジング２．１の移動止め１１は、ハウジング２．１に窪み、肩、段又はへこみを設けることにより、非常にシンプルに製造できる。図示のように、窪み、肩、段又はへこみのエッジが、移動止め部材１０を規制する移動止め１１を構成する。
【０１２６】
移動止め部材１０は、ツメ、突起又はタブ（好ましくは、プラグ嵌合方向とは逆方向に、接続器具５を超えて突出する）として構成される。この構成によれば、接続器具５をハウジング２．１に結合するとき、移動止め部材１０は解放状態に屈曲（即ち、外側に屈曲）しやすく、特に有利である。これにより、移動止め部材１０は、ハウジング２．１の移動止め１１を乗り越えることができる。
【０１２７】
接続器具５がアンロック位置からロック位置への作動方向に移動するとき、接続器具５のＵ字形構造により、接続器具５の移動の限界が定められる。本実施形態例において、ガイド９は、プラグ嵌合方向又は逆方向に接続器具５が逸脱するのを規制する。
【０１２８】
図示の実施形態例のように特に好ましい一実施形態において、接続器具５は、さらに固定部材１２を有し、第１のプラグコネクタ２のハウジング２．１は、少なくとも１個の移動止め面１３を有し、移動止め面１３は、プラグコネクタ２、３の非プラグ接続状態において、接続器具５がアンロック位置からロック位置に向かう方向に移動するのを規制する。このとき、固定部材１２が移動路内に位置し、移動止め面１３により移動がブロックされるからである。
【０１２９】
本実施形態例において、固定部材１２は、スナップフィットフック１２として構成され、好ましくは、屈曲、段又はこぶを有するように設計される。スナップフィットフック１２は、プラグコネクタ２、３の非プラグ接続状態において第１のプラグコネクタ２のハウジング２．１の移動止め面１３を圧迫するように、プレテンションされる。実施形態例において、スナップフィットフック１２は、少なくとも一部が内側に延在し、このため移動止め面１３を圧迫する。固定部材１２の堅牢性を高めるため、スナップフィットフック１２の両端部１２．１、１２．２は、接続器具５に接続される。
【０１３０】
実施形態例において、第２のプラグコネクタ３は、両側の位置にアンロック部材１４を有する。アンロック部材１４は、プラグコネクタ２、３を相互にプラグ接続するとき、第１のプラグコネクタ２のハウジング２．１の移動止め面１３がアンロック位置からロック位置への接続器具５の移動路の外に位置するように、アンロック部材１４がスナップフィットフック１２を移動させる又は解放状態に屈曲させるように、設置及び構成される。
【０１３１】
このとき、好ましくは、アンロック部材１４は、スナップフィットフック１２の角の領域を押し離せばよい。
【０１３２】
図１及び１４は、特に、プラグコネクタ機器１のスナップフィットフック１２を示す。図１及び１４において、スナップフィットフック１２は、固定位置にある。言い換えれば、スナップフィットフック１２は、アンロック位置からロック位置への接続器具５の移動路に位置する。図１４は、第１のプラグコネクタ２を示す背面図である。図１４は、図１１の断面Ａ−Ａに沿った接続器具５の一部断面を示し、スナップフィットフック１２を図示する。
【０１３３】
図２乃至７は、固定部材又はスナップフィットフック１２の機能的形態及び位置的な実施形態を明示する。
【０１３４】
図２は、シンプルなスナップフィットフック１２を模式的に示す斜視図である。片側のスナップフィットフック１２の第１の端部１２．１は、接続器具５（図示せず）に固定的に接続される。スナップフィットフック１２は、弾性的に構成され、基本位置において接続器具５の移動路内に設置される。言い換えれば、スナップフィットフック１２は、第１のプラグコネクタ２（詳細は図示せず）のハウジング２．１の移動止め面１３を圧迫する。図２に示す矢印の方向に力を印加すると、例えば、プラグ嵌合方向に押圧されるアンロック部材１４を用いて、スナップフィットフック１２が固定位置から外れて移動する。続いて、接続器具５は、ガイド９に沿って、接続器具５のアンロック位置からロック位置まで（図３の矢印方向を参照）、移動可能となる。図３は、スナップフィットフック１２が解放されガイド９の移動方向に沿って移動した状態を示す。
【０１３５】
図４及び５は、別のスナップフィットフック１２を模式的に示す。スナップフィットフック１２の両端部１２．１、１２．２が、接続器具５に接続される。このため、スナップフィットフック１２は、より堅牢である。スナップフィットフック１２は、例えば変形することにより（図５参照）、堅牢性と機能性とを両立している。
【０１３６】
図６及び７は、実施形態例により実装される特に好ましい実施形態の、曲がったスナップフィットフック１２を示す。これも同様に、スナップフィットフック１２の両端部１２．１、１２．２が、接続器具５に固定的に接続される。スナップフィットフック１２は、特に、本実施形態によれば、本来印加されるべきでない力がガイド９の移動方向に沿って印加されたとき、この力に対して強い抵抗力を発揮することができる。これにより、本来アンロックされるべきでない場合に、アンロックするのを規制することができる。曲がったスナップフィットフック１２の形状は、数字の「７」を傾けた形状か、文字の「Ｌ」を寝かせた形状に似ている。
【０１３７】
図６に特に示すように、例えば、作動面５．２に圧縮力が印加される。すると、圧縮力が、端部１２．２と移動止め面１３との間の部位（図６中、垂直に延在する部位）を介して、ハウジング２．１の移動止め面１３に直接的に印加される。スナップフィットフック１２が外側に撓んでいないときに作動面５．２に印加された圧縮力は、スナップフィットフック１２の上記部位（端部１２．２と移動止め面１３との間の部位）により、移動止め面１３だけに直接的に印加される。従って、スナップフィットフック１２が屈曲し解放するおそれがない。
【０１３８】
図１３は、接続器具５と第１のプラグコネクタ２のハウジング２．１との間のガイド９を示す平面図である。図１３は、図１１の断面Ｂ−Ｂに沿った一部断面を示す。本実施形態例において、ガイド９は、鳩尾継ぎ接続部９として実現される。鳩尾継ぎ接続部９は、特に有利である。Ｕ字形接続器具５の脚５．１が、第１のプラグコネクタ２のハウジング２．１に沿ってガイドされて移動可能であるためである。プラグコネクタ機器１に過剰な応力が発生した場合でも、脚５．１が横方向に屈曲し解放することが十分に規制される。これにより、プラグコネクタ機器１が格別に堅牢となる。
【図１】
2019532479.tif 000003
【図２】
2019532479.tif 000004
【図３】
2019532479.tif 000005
【図４】
2019532479.tif 000006
【図５】
2019532479.tif 000007
【図６】
2019532479.tif 000008
【図７】
2019532479.tif 000009
【図８】
2019532479.tif 000010
【図９】
2019532479.tif 000011
【図１０】
2019532479.tif 000012
【図１１】
2019532479.tif 000013
【図１２】
2019532479.tif 000014
【図１３】
2019532479.tif 000015
【図１４】
2019532479.tif 000016
【国際調査報告】
2019532479.tif 000017
2019532479.tif 000018
2019532479.tif 000019
2019532479.tif 000020
2019532479.tif 000021
2019532479.tif 000022